(57)【特許請求の範囲】
【請求項１】
ＲＦ信号を受信する受信部と、
前記受信部において受信したＲＦ信号に対して、上側ヘテロダインあるいは下側ヘテロダインとなる局部発振信号を出力する局部発振器と、
前記局部発振器から出力した局部発振信号をもとに、前記受信部において受信したＲＦ信号をＩＦ信号に変換する変換部と、
前記変換部において変換したＩＦ信号を検波する検波部と、
前記検波部に入力される前のＩＦ信号の信号強度を測定する第１測定部と、
前記検波部において検波した信号のスケルチ電圧を測定する第２測定部と、
前記第１測定部において測定した信号強度と、前記第２測定部において測定したスケルチ電圧をもとに、前記局部発振器を制御する制御部とを備え、
前記制御部は、
前記局部発振器から出力される局部発振信号を上側ヘテロダインと下側ヘテロダインの一方に設定する第１設定部と、
前記第１設定部において一方に設定した場合の信号強度が第１しきい値よりも大きくなる第１条件を満たした場合に、前記局部発振器から出力される局部発振信号を上側ヘテロダインと下側ヘテロダインの他方に設定する第２設定部と、
前記第２設定部において他方に設定した場合の信号強度が第１しきい値よりも大きくなる第２条件を満たした場合に、前記局部発振器から出力される局部発振信号を上側ヘテロダインと下側ヘテロダインのうち、通常受信時に使用する方に設定する第３設定部と、
前記第３設定部において通常受信時に使用する方に設定した場合のスケルチ電圧が第２しきい値よりも小さくなる第３条件を満たす場合に、前記ＲＦ信号の周波数には信号が存在していると判定する第４設定部とを備え、
前記第４設定部は、前記第２設定部において第１条件が満たされない場合、前記第３設定部において第２条件が満たされない場合、第３条件が満たされない場合のいずれかに該当する場合に、前記ＲＦ信号の周波数には信号が存在していないと判定するとともに、既に設定されている上側ヘテロダインあるいは下側ヘテロダインを維持したまま前記第２設定部から処理を実行させることを特徴とする受信装置。
【請求項２】
前記制御部は、前記局部発振信号の周波数を可変してＲＦ信号の周波数をスキャンするスキャン機能を備え、
前記制御部は、スキャン中に、前記ＲＦ信号の周波数には信号が存在すると判定した場合にスキャンを停止し、前記ＲＦ信号の周波数には信号が存在しないと判定した場合に、スキャンを継続することを特徴とする請求項１に記載の受信装置。
【請求項３】
前記局部発振器は、
上側ヘテロダインの局部発振信号を発信する第１局部発振器と、
下側ヘテロダインの局部発振信号を発信する第２局部発振器とを備えることを特徴とする請求項１または２に記載の受信装置。
【請求項４】
ＲＦ信号を受信する受信部と、
前記受信部において受信したＲＦ信号に対して、上側ヘテロダインあるいは下側ヘテロダインとなる局部発振信号を出力する局部発振器と、
前記局部発振器から出力した局部発振信号をもとに、前記受信部において受信したＲＦ信号をＩＦ信号に変換する変換部と、
前記ＩＦ信号の信号強度を測定する測定部と、
前記測定部において測定した信号強度をもとに、前記局部発振器を制御する制御部とを備え、
前記制御部は、
前記局部発振信号の周波数を可変してＲＦ信号の周波数をスキャンするスキャン機能と、
前記局部発振器から出力される局部発振信号を上側ヘテロダインと下側ヘテロダインの一方に設定する第１設定部と、
前記第１設定部において一方に設定した場合のスキャン中の信号強度が第１しきい値よりも大きくなる第１条件を満たした場合に、前記局部発振器から出力される局部発振信号を上側ヘテロダインと下側ヘテロダインの他方に設定する第２設定部と、
前記第２設定部において他方に設定した場合の信号強度が第１しきい値よりも大きくなる第２条件を満たさない場合に、既に設定されている上側ヘテロダインあるいは下側ヘテロダインを維持してスキャンを継続すること、
を特徴とする受信装置。
【請求項５】
周波数スキャンにより信号を検出する受信装置の受信方法であって、
上側ヘテロダインあるいは下側ヘテロダインのいずれかとなる局部発振信号をもとに、受信したＲＦ信号の信号強度を測定する第１ステップと、
前記第１ステップにて測定した信号強度が第１しきい値以上の場合に、前記第１ステップとは異なる下側ヘテロダインあるいは上側ヘテロダインのいずれかとなる局部発振信号をもとに、受信したＲＦ信号の信号強度を測定する第２ステップと、
を含み、
前記第２ステップにて測定した信号強度が前記第１しきい値以上でない場合には、既に設定されている上側ヘテロダインあるいは下側ヘテロダインを維持して周波数スキャンを継続する受信方法。
【請求項６】
前記第２ステップにて測定した信号強度が前記第１しきい値よりも大きい場合に、ＩＦ信号を検波したときのスケルチ電圧を測定するステップと、
スケルチ電圧が第２しきい値よりも小さくなる場合に、前記ＲＦ信号の周波数には信号が存在していると判定するステップと、
上側ヘテロダインに設定した場合の信号強度と、下側ヘテロダインに設定した場合の信号強度の少なくともいずれかが第１しきい値以下になる場合、スケルチ電圧が第２しきい値より以上になる場合に、前記ＲＦ信号の周波数には信号が存在していないと判定するステップと、
を備えることを特徴とする請求項５に記載の受信方法。
【発明の詳細な説明】
【技術分野】
【０００１】
本発明は、受信技術に関し、特にスーパーヘテロダイン構成でＲＦ信号を受信する受信装置、受信方法に関する。
【背景技術】
【０００２】
スーパーヘテロダイン受信機は、周波数シンセサイザを備え、シンセサイザが順次発生する局部発振周波数信号と、受信信号とを混合して、中間周波数信号に変換し、中間周波数信号を周波数弁別することによって、受信信号をサーチする。このようなスーパーヘテロダイン受信機においては、受信した信号が目的の信号（希望信号）ではない場合がある。これは、イメージ受信とスプリアス受信のためであるので、イメージ信号およびスプリアス信号の判別が必要とされる。そのため、（局部発振周波数±中間周波数）の２チャネルを同時に受信しながら中間周波数の２倍の周波数に相当する幅をサーチした後、局部発振周波数を中間周波数の２倍に相当する周波数だけシフトして、その周波数から再び中間周波数の２倍の周波数に相当する幅だけサーチしている（例えば、特許文献１参照）。
【先行技術文献】
【特許文献】
【０００３】
【特許文献１】特開平７−２３５８８６号公報
【発明の概要】
【発明が解決しようとする課題】
【０００４】
イメージ信号の受信により受信周波数のスキャンが停止すると、スキャン再開のために無線機本体を操作する必要がある。これは無線機のユーザにとってはわずらわしい操作である。また、受信信号をサーチする際に、何度もスキャン開始／停止が繰り返されるので、結果的にスキャンスピードが遅くなる。さらに、隣接チャネルに強力な信号が存在する場合には、その強力な信号の隣接チャネルにおいて信号を検出してしまい、スキャンが停止してしまう。
【０００５】
本発明はこうした状況に鑑みてなされたものであり、その目的は、受信信号のスキャンを高速化するとともに、妨害波の誤検出を抑制する技術を提供することである。
【課題を解決するための手段】
【０００６】
上記課題を解決するために、本発明のある態様の受信装置は、ＲＦ信号を受信する受信部と、受信部において受信したＲＦ信号に対して、上側ヘテロダインあるいは下側ヘテロダインとなる局部発振信号を出力する局部発振器と、局部発振器から出力した局部発振信号をもとに、受信部において受信したＲＦ信号をＩＦ信号に変換する変換部と、変換部において変換したＩＦ信号を検波する検波部と、検波部に入力される前のＩＦ信号の信号強度を測定する第１測定部と、検波部において検波した信号のスケルチ電圧を測定する第２測定部と、第１測定部において測定した信号強度と、第２測定部において測定したスケルチ電圧をもとに、局部発振器を制御する制御部とを備える。制御部は、局部発振器から出力される局部発振信号を上側ヘテロダインと下側ヘテロダインの一方に設定する第１設定部と、第１設定部において一方に設定した場合の信号強度が第１しきい値よりも大きくなる第１条件を満たした場合に、局部発振器から出力される局部発振信号を上側ヘテロダインと下側ヘテロダインの他方に設定する第２設定部と、第２設定部において他方に設定した場合の信号強度が第１しきい値よりも大きくなる第２条件を満たした場合に、局部発振器から出力される局部発振信号を上側ヘテロダインと下側ヘテロダインのうち、通常受信時に使用する方に設定する第３設定部と、第３設定部において通常受信時に使用する方に設定した場合のスケルチ電圧が第２しきい値よりも小さくなる第３条件を満たす場合に、ＲＦ信号の周波数には信号が存在していると判定する第４設定部とを備え、第４設定部は、第２設定部において第１条件が満たされない場合、第３設定部において第２条件が満たされない場合、第３条件が満たされない場合のいずれかに該当する場合に、ＲＦ信号の周波数には信号が存在していないと判定するとともに、既に設定されている上側ヘテロダインあるいは下側ヘテロダインを維持したまま第２設定部から処理を実行させる。
本発明の別の態様は、受信装置である。この方法は、ＲＦ信号を受信する受信部と、受信部において受信したＲＦ信号に対して、上側ヘテロダインあるいは下側ヘテロダインとなる局部発振信号を出力する局部発振器と、局部発振器から出力した局部発振信号をもとに、受信部において受信したＲＦ信号をＩＦ信号に変換する変換部と、ＩＦ信号の信号強度を測定する測定部と、測定部において測定した信号強度をもとに、局部発振器を制御する制御部とを備える。制御部は、局部発振信号の周波数を可変してＲＦ信号の周波数をスキャンするスキャン機能と、局部発振器から出力される局部発振信号を上側ヘテロダインと下側ヘテロダインの一方に設定する第１設定部と、第１設定部において一方に設定した場合のスキャン中の信号強度が第１しきい値よりも大きくなる第１条件を満たした場合に、局部発振器から出力される局部発振信号を上側ヘテロダインと下側ヘテロダインの他方に設定する第２設定部と、第２設定部において他方に設定した場合の信号強度が第１しきい値よりも大きくなる第２条件を満たさない場合に、既に設定されている上側ヘテロダインあるいは下側ヘテロダインを維持してスキャンを継続する。
【０００７】
本発明の別の態様は、受信方法である。この方法は、周波数スキャンにより信号を検出する受信装置の受信方法であって、上側ヘテロダインあるいは下側ヘテロダインのいずれかとなる局部発振信号をもとに、受信したＲＦ信号の信号強度を測定する第１ステップと、第１ステップにて測定した信号強度が第１しきい値以上の場合に、第１ステップとは異なる下側ヘテロダインあるいは上側ヘテロダインのいずれかとなる局部発振信号をもとに、受信したＲＦ信号の信号強度を測定する第２ステップと、を含む。第２ステップにて測定した信号強度が第１しきい値以上でない場合には、既に設定されている上側ヘテロダインあるいは下側ヘテロダインを維持して周波数スキャンを継続する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、受信信号のスキャンを高速化するとともに、妨害波の誤検出を抑制できる。
【図面の簡単な説明】
【００１０】
【図１】本発明の実施例１に係る受信装置の構成を示す図である。
【図２】図１の雑音アンプの周波数特性を示す図である。
【図３】図１の受信装置によるスキャン手順を示すフローチャートである。
【図４】本発明の実施例２に係る受信装置によるスキャン手順を示すフローチャートである。
【図５】本発明の実施例３に係る局部発振器の構成を示す図である。
【発明を実施するための形態】
【００１１】
（実施例１）
本発明を具体的に説明する前に、まず概要を述べる。本発明の実施例１は、スーパーヘテロダイン構成を有し、かつ受信周波数を決定するための周波数スキャン機能を有する受信装置に関する。前述のごとく、イメージ信号による妨害、隣接チャネルの信号による妨害といった妨害波の誤検出によって、スキャンが停止されてしまう。つまり、イメージ信号の受信、隣接チャネルの妨害波の受信といった希望信号以外の誤検出によるスキャンの停止を回避することが望まれる。
【００１２】
これらに対応するために、本実施例に係る受信装置は、上側ヘテロダイン、下側ヘテロダインの一方で、受信信号を検出した場合でも、他方にヘテロダインを変更して、受信信号を検出しなければ、イメージ信号の受信であると判定する。この２回の検出には、検出時間が短いＲＳＳＩ（Ｒｅｃｅｉｖｅｄ  Ｓｉｇｎａｌ  Ｓｔｒｅｎｇｔｈ  Ｉｎｄｉｃａｔｏｒ）が使用されるので、スキャンスピードが高速化される。また、いずれの検出においても受信信号が検出されることによって、希望信号が配置された周波数での受信であると判定した後、受信装置は、より正確に信号の有無を判定可能なスケルチ電圧をもとに３回目の検出を実行する。
【００１３】
図１は、本発明の実施例１に係る受信装置１００の構成を示す。受信装置１００は、アンテナ１０、第１アンプ１２、局部発振器１４、第１変換部１６、ＢＰＦ（Ｂａｎｄ−Ｐａｓｓ  Ｆｉｌｔｅｒ）１８、第２アンプ２０、第２変換部２２、第３アンプ２４、ＩＦＦ（ＩＦ  Ｆｉｌｔｅｒ）２６、リミッタ２８、ＦＭ（Ｆｒｅｑｕｅｎｃｙ  Ｍｏｄｕｌａｔｉｏｎ）検波部３０、出力部３２、第１測定部３４、整流回路３６、雑音アンプ３８、第２測定部４０、制御部４２を含む。制御部４２は、第１設定部５０、第２設定部５２、第３設定部５４、第４設定部５６を含む。
【００１４】
アンテナ１０は、ＦＭ変調方式の無線通信やＦＭ放送等の無線信号を受信する。無線信号の周波数は、例えば、０．１ＭＨｚ〜１．３ＧＨｚに含まれる。以下では、このような無線周波数を有した信号をＲＦ（Ｒａｄｉｏ  Ｆｒｅｑｕｅｎｃｙ）信号という。なお、説明を明瞭にするために、処理対象となる無線周波数を「ｆｃ」と示す。アンテナ１０は、ＲＦ信号を第１アンプ１２へ出力する。第１アンプ１２は、アンテナ１０からのＲＦ信号を入力し、ＲＦ信号を増幅する。第１アンプ１２は、増幅したＲＦ信号（以下、これもまた「ＲＦ信号」という）を第１変換部１６へ出力する。
【００１５】
局部発振器１４は、第１局部発振信号を第１変換部１６へ出力する。第１局部発振信号は、ＲＦ信号に対して、上側ヘテロダインあるいは下側ヘテロダインとなる。上側ヘテロダインの第１局部発振信号「ｆＬＯ１」は、中間周波数を「ｆＩＦ」とした場合に、「ｆｃ＋ｆＩＦ」と示される。一方、下側ヘテロダインの第１局部発振信号「ｆＬＯ２」は、「ｆｃ−ｆＩＦ」と示される。なお、上側ヘテロダインとして出力されるか、あるいは下側ヘテロダインとして出力されるかは、制御部４２からの指示にもとづく。ここで、第１局部発振信号の周波数は、例えば、５８．１５ＭＨｚ〜１３５８．０５ＭＨｚの範囲で設定される。また、局部発振器１４は、第２局部発振信号を第２変換部２２へ出力する。第２局部発振信号の周波数は固定であり、例えば、５７．６ＭＨｚに設定される。なお、第１局部発振信号と第２局部発振信号は、同一の発振器からの信号を基準周波数として生成されてもよい。
【００１６】
第１変換部１６は、第１アンプ１２からＲＦ信号を入力するとともに、局部発振器１４から第１局部発振信号を入力する。第１変換部１６は、ミキサによって構成され、第１局部発振信号をもとに、ＲＦ信号を第１ＩＦ（Ｉｎｔｅｒｍｅｄｉａｔｅ  Ｆｒｅｑｕｅｎｃｙ）信号に変換する。第１ＩＦ信号の周波数ｆＩＦは、例えば、５８．０５ＭＨｚである。ＩＦ周波数を一定の値とするために、ＲＦ信号の周波数に応じて、第１局部発振信号の周波数が局部発振器１４において変更される。
【００１７】
第１局部発振信号が上側ヘテロダインである場合、第１変換部１６は、ｆＩＦの信号とｆＬＯ１＋ｆｃの信号とを生成するが、前者が第１ＩＦ信号に相当する。後者は、後述のＢＰＦ１８によって減衰される。また、第２局部発振信号が下側ヘテロダインである場合、第１変換部１６は、ｆＩＦの信号とｆＬＯ２＋ｆｃの信号とを生成するが、前者が第１ＩＦ信号に相当する。後者は、後述のＢＰＦ１８によって減衰される。
【００１８】
なお、上側ヘテロダインの場合、ｆｃ＋２ｆＩＦの信号も、第１局部発振信号によって、ｆＩＦに変換される。このようなｆｃ＋２ｆＩＦの信号は、イメージ信号と呼ばれ、イメージ信号も周波数変換によって、第１ＩＦ信号と同一の周波数にされる。なお、ｆｃ＋２ｆＩＦは、イメージ周波数と呼ばれる。下側ヘテロダインの場合、ｆｃ−２ｆＩＦの信号も、第２局部発振信号によって、ｆＩＦに変換される。このようなｆｃ−２ｆＩＦの信号も、イメージ信号と呼ばれ、イメージ信号も周波数変換によって第１ＩＦ信号と同一の周波数にされる。なお、ｆｃ−２ｆＩＦも、イメージ周波数と呼ばれる。
【００１９】
ＢＰＦ１８は、第１変換部１６からの信号を入力し、上側ヘテロダインである場合のｆＬＯ１＋ｆｃの信号と、下側ヘテロダインである場合のｆＬＯ２＋ｆｃの信号を低減させる。ＢＰＦ１８は、第１ＩＦ信号を第２アンプ２０へ出力する。第２アンプ２０は、ＢＰＦ１８からの第１ＩＦ信号を入力し、第１ＩＦ信号を増幅する。第２アンプ２０は、増幅した第１ＩＦ信号（以下、これもまた「第１ＩＦ信号」という）を第２変換部２２へ出力する。
【００２０】
第２変換部２２は、第２アンプ２０から第１ＩＦ信号を入力するとともに、局部発振器１４から第２局部発振信号を入力する。第２変換部２２は、第１変換部１６と同様に、ミキサによって構成され、第２局部発振信号をもとに、第１ＩＦ信号を第２ＩＦ信号に変換する。第２ＩＦ信号の周波数は、例えば、４５０ｋＨｚである。第２変換部２２は、第２ＩＦ信号を第３アンプ２４へ出力する。第３アンプ２４は、第２変換部２２からの第２ＩＦ信号を入力し、第２ＩＦ信号を増幅する。第３アンプ２４は、増幅した第２ＩＦ信号（以下、これもまた「第２ＩＦ信号」という）をＩＦＦ２６へ出力する。
【００２１】
ＩＦＦ２６は、第３アンプ２４からの信号を入力し、第２ＩＦ信号以外の成分を低減させる。ＩＦＦ２６は、例えば、４５０±５ｋＨｚの通過帯域を有する。ＩＦＦ２６は、第２ＩＦ信号をリミッタ２８へ出力する。リミッタ２８は、ＩＦＦ２６からの第２ＩＦ信号を入力し、第２ＩＦ信号の増幅と振幅制限を行う。リミッタ２８は、増幅し振幅制限した第２ＩＦ信号（以下、これもまた「第２ＩＦ信号」という）をＦＭ検波部３０へ出力する。また、リミッタ２８は、第２ＩＦ信号の信号強度をＲＳＳＩ電圧として第１測定部３４へ出力する。
【００２２】
ＦＭ検波部３０は、リミッタ２８からの第２ＩＦ信号を入力し、第２ＩＦ信号をＦＭ検波することによって、検波信号を生成する。検波信号はベースバンドの信号である。ＦＭ検波部３０は、検波信号を出力部３２、雑音アンプ３８へ出力する。出力部３２は、ＦＭ検波部３０からの検波信号を入力し、検波信号を増幅することによって音声信号を生成し、音声信号を図示しないスピーカやヘッドホンから出力させる。第１測定部３４は、リミッタ２８からのＲＳＳＩ電圧、つまりＦＭ検波部３０に入力される前の第２ＩＦ信号の信号強度を測定する。第１測定部３４は、ＲＳＳＩ電圧をアナログからデジタルに変換してから、測定を実行する。第１測定部３４は、デジタルに変換した測定結果（以下、これもまた「ＲＳＳＩ電圧」という）を制御部４２へ出力する。
【００２３】
雑音アンプ３８は、ＦＭ検波部３０からの検波信号を入力し、検波信号を増幅する。雑音アンプ３８の増幅率は、周波数特性を有する。図２は、雑音アンプ３８の周波数特性を示す。横軸が周波数を示し、縦軸が増幅率を示す。図示のごとく、検波信号の帯域である３００Ｈｚから３ｋＨｚの増幅率よりも、帯域外である１５ｋＨｚから２５ｋＨｚの増幅率の方が大きくなっている。このような周波数帯域により、検波信号の帯域外成分が検波信号よりも増幅されることによって、スケルチ雑音が主成分となる。整流回路３６は、雑音アンプ３８からの検波信号を入力し、検波信号を整流する。整流回路３６は、整流した検波信号（以下、これもまた「検波信号」という）をスケルチ雑音として第２測定部４０へ出力する。
【００２４】
第２測定部４０は、検波信号のスケルチ電圧、つまり整流回路３６からのスケルチ雑音の電圧を測定する。第２測定部４０は、スケルチ雑音をアナログからデジタルに変換してから、測定を実行する。第２測定部４０は、デジタルに変換した測定結果（以下、これもまた「スケルチ電圧」という）を制御部４２へ出力する。
【００２５】
制御部４２は、第１測定部３４において測定したＲＳＳＩ電圧と、第２測定部４０において測定したスケルチ電圧をもとに、局部発振器１４を制御する。第１設定部５０は、第１アンプ１２からのＲＦ信号の周波数を「ｆｃ」と想定し、その想定した周波数に対して、局部発振器１４から出力される第１局部発振信号を上側ヘテロダインと下側ヘテロダインの一方に設定する。ここでは、上側ヘテロダインに設定する。そのため、第１設定部５０は、ｆｃ＋ｆＩＦとなる周波数「ｆＬＯ１」に第１局部発振信号を設定する。
【００２６】
第２設定部５２は、第１設定部５０による設定がなされた状態において、ＲＳＳＩ電圧を取得する。このＲＳＳＩ電圧は、上側ヘテロダインで受信した場合の信号強度といえる。第２設定部５２は、ＲＳＳＩ電圧と第１しきい値とを比較する。第１しきい値は、計算機シミュレーションあるいは実験等により予め設定される。ＲＳＳＩ電圧が第１しきい値よりも大きくなる第１条件を満たした場合に、第２設定部５２は、信号が存在すると判定する。それに応じて、第２設定部５２は、局部発振器１４から出力される第１局部発振信号を、上側ヘテロダインから下側ヘテロダインに変更する。そのため、第２設定部５２は、ｆｃ−ｆＩＦとなる周波数「ｆＬＯ２」に第１局部発振信号を設定する。一方、第１条件を満たさない場合、第２設定部５２は、信号が存在しないと判定し、判定結果を第４設定部５６に通知する。
【００２７】
第３設定部５４は、第２設定部５２による設定がなされた状態において、ＲＳＳＩ電圧を取得する。このＲＳＳＩ電圧は、下側ヘテロダインで受信した場合の信号強度といえる。第３設定部５４は、ＲＳＳＩ電圧と第１しきい値とを比較する。ＲＳＳＩ電圧が第１しきい値よりも大きくなる第２条件を満たした場合に、第２設定部５２は、信号が存在しており、第２設定部５２において検出した信号はイメージ信号ではないと判定する。それに応じて、第３設定部５４は、局部発振器１４から出力される第１局部発振信号を、上側ヘテロダインと下側ヘテロダインのうち、通常受信時に使用する方に設定する。ここでは、上側ヘテロダインへの変更がなされる。一方、第２条件を満たさない場合、第２設定部５２は、信号が存在しておらず、第２設定部５２において検出した信号はイメージ信号であると判定し、判定結果を第４設定部５６に通知する。
【００２８】
第４設定部５６は、第３設定部５４において通常受信時に使用する方に設定した状態において、スケルチ電圧を取得する。第３設定部５４は、スケルチ電圧と第２しきい値とを比較する。第２しきい値も、第１しきい値と同様に、計算機シミュレーションあるいは実験等により予め設定される。スケルチ電圧が第２しきい値よりも小さくなる第３条件を満たした場合に、第３設定部５４は、信号は存在していると判定する。これは、復調帯域外のノイズレベルが抑圧されている状態といえる。それに応じて、第３設定部５４は、局部発振器１４から出力される第１局部発振信号の周波数を現在の値に固定する。そのため、スキャンが停止される。
【００２９】
一方、第３条件を満たさない場合、第３設定部５４は、信号は存在せず隣接チャネルの信号による妨害が存在していると判定する。これは、復調帯域外のノイズレベルが抑圧されていない状態といえる。つまり、隣接チャネルの信号が受信され、これが、ＩＦＦ２６における４５０±５ｋＨｚの通過帯域から外れているが、信号レベルが大きいので、ＲＳＳＩを検出しているリミッタ２８で歪む。この歪により発生した信号により、ヘテロダインを切りかえる前後であってもＲＳＳＩ電圧が検出される。歪により発生した信号をＦＭ検波部３０が検波しても雑音となるため、雑音アンプ３８の帯域の雑音は抑圧されず、スケルチ電圧は下がらない。
【００３０】
第４設定部５６は、第２設定部５２において第１条件が満たされない場合、第３設定部５４において第２条件が満たされない場合、第３条件が満たされない場合のいずれかに該当する場合に、局部発振器１４から出力される第１局部発振信号の周波数「ｆｃ」を変更し、第１設定部５０から処理を実行させる。そのため、第１設定部５０は、上側ヘテロダインに設定する。このように、新たな周波数に対してスキャンが継続される。つまり、イメージ信号や隣接チャネルの妨害によりスキャンが停止することがなく、精度よくスキャンを停止することが可能となる。
【００３１】
このように、制御部４２は、上側ヘテロダインに設定した場合の信号強度と、下側ヘテロダインに設定した場合の信号強度のいずれもが第１しきい値よりも大きく、かつスケルチ電圧が第２しきい値よりも小さくなる条件を満たす場合に、第１局部発振信号の周波数を固定する。一方、制御部４２は、当該条件を満たさない場合に、第１局部発振信号の周波数を変更する。
【００３２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
以上の構成による受信装置１００の動作を説明する。図３は、受信装置１００によるスキャン手順を示すフローチャートである。ＲＳＳＩが第１しきい値よりも大きければ（Ｓ１０のＹ）、第２設定部５２は、ヘテロダインを変更する（Ｓ１２）。ＲＳＳＩが第１しきい値よりも大きければ（Ｓ１４のＹ）、第３設定部５４は、ヘテロダインを戻す（Ｓ１８）。スケルチ電圧が第２しきい値よりも小さければ（Ｓ２０のＹ）、第４設定部５６は、周波数を固定する（Ｓ２４）。ＲＳＳＩが第１しきい値よりも大きくなければ（Ｓ１０のＮ）、第１設定部５０は、周波数を変更してスキャンを再開し（Ｓ２２）、ステップ１０に戻る。ＲＳＳＩが第１しきい値よりも大きくなければ（Ｓ１４のＮ）、第１設定部５０は、ヘテロダインを戻して（Ｓ１６）、周波数を変更してスキャンを再開し（Ｓ２２）、ステップ１０に戻る。スケルチ電圧が第２しきい値よりも小さくなければ（Ｓ２０のＮ）、第１設定部５０は、周波数を変更してスキャンを再開し（Ｓ２２）、ステップ１０に戻る。
【００３４】
本実施例によれば、上側ヘテロダインと下側ヘテロダインとを使用して信号を検出するので、イメージ信号を受信することによるスキャンの停止を回避できる。また、ＲＳＳＩ電力をもとに信号を検出するので、検出時間を短縮できる。また、イメージ信号でない信号を受信した場合に、スケルチ電圧を監視するので、隣接チャネルの信号の影響を低減できる。また、隣接チャネルの信号の影響が大きい場合に、スキャンを続行するので、隣接チャネルの信号の影響が大きいことによるスキャンの停止を回避できる。また、スケルチ電力をもとに監視を実行するので、隣接チャネルの信号の検出精度を向上できる。また、イメージ信号の受信によるスキャン停止の回避により、スキャンスピードを高速化できる。また、ヘテロダイン切りかえでのイメージ判定とともに、隣接チャネルの大入力信号によるスキャンの停止を防止できる。
【００３５】
（実施例２）
次に、実施例２を説明する。実施例２は、実施例１と同様に、スーパーヘテロダイン構成を有し、かつ受信周波数を決定するための周波数スキャン機能を有する受信装置に関する。実施例１に係る受信装置は、新たな周波数をスキャンする際に、第１局部発振信号を上側ヘテロダインに戻している。一方、実施例２に係る受信装置は、新たな周波数をスキャンする際に、それまで使用していた上側ヘテロダインあるいは下側ヘテロダインのまま第１局部発振信号を出力する。つまり、下側ヘテロダインを使用してＲＦ信号が検出されなかった場合において、新たな周波数をスキャンする際に、受信装置は、下側ヘテロダインに設定したまま第１局部発振信号を出力する。実施例２に係る受信装置は、図１と同様のタイプである。ここでは、差異を中心に説明する。
【００３６】
第４設定部５６は、第２設定部５２において第１条件が満たされない場合、第３設定部５４において第２条件が満たされない場合、第３条件が満たされない場合のいずれかに該当する場合に、局部発振器１４から出力される第１局部発振信号の周波数「ｆｃ」を変更し、第２設定部５２から処理を実行させる。その際、第２設定部５２は、既に設定されている上側ヘテロダインあるいは下側ヘテロダインの設定を変更せずに処理を開始する。つまり、第４設定部５６は、既に設定されている上側ヘテロダインあるいは下側ヘテロダインを維持したまま第２設定部５２から処理を実行させる。
【００３７】
図４は、本発明の実施例２に係る受信装置１００によるスキャン手順を示すフローチャートである。ＲＳＳＩが第１しきい値よりも大きければ（Ｓ５０のＹ）、第２設定部５２は、ヘテロダインを変更する（Ｓ５２）。ＲＳＳＩが第１しきい値よりも大きければ（Ｓ５４のＹ）、第３設定部５４は、通常受信時のテロダインに戻す（Ｓ５６）。スケルチ電圧が第２しきい値よりも小さければ（Ｓ５８のＹ）、第４設定部５６は、周波数を固定する（Ｓ６２）。ＲＳＳＩが第１しきい値よりも大きくなければ（Ｓ５０のＮ）、第２設定部５２は、周波数を変更してスキャンを再開し（Ｓ６０）、ステップ５０に戻る。ＲＳＳＩが第１しきい値よりも大きくなければ（Ｓ５４のＮ）、第２設定部５２は、周波数を変更してスキャンを再開し（Ｓ６０）、ステップ５０に戻る。スケルチ電圧が第２しきい値よりも小さくなければ（Ｓ５８のＮ）、第２設定部５２は、周波数を変更してスキャンを再開し（Ｓ６０）、ステップ５０に戻る。
【００３８】
本実施例によれば、ヘテロダインの切替が省略されるので、処理を高速化できる。
【００３９】
（実施例３）
次に、実施例３を説明する。実施例３も、これまでと同様に、スーパーヘテロダイン構成を有し、かつ受信周波数を決定するための周波数スキャン機能を有する受信装置に関する。ここでは、特に局部発振器の構成に関する。実施例３に係る局部発振器は、少なくとも２つの発振器を備え、一方が上側ヘテロダインに設定されている場合に、他方が下側ヘテロダインに設定されている。実施例３に係る受信装置は、図１と同様のタイプである。ここでは、差異を中心に説明する。
【００４０】
図５は、本発明の実施例３に係る局部発振器１４の構成を示す。局部発振器１４は、第１局部発振器７０、第２局部発振器７２を含む。第１局部発振器７０は、周波数「ｆｃ」に対する上側ヘテロダインの局部発振信号を出力する。一方、第２局部発振器７２は、周波数「ｆｃ」に対する下側ヘテロダインの局部発振信号を出力する。なお、第１局部発振器７０が下側ヘテロダインの局部発振信号を出力し、第２局部発振器７２が上側ヘテロダインの局部発振信号を出力してもよい。また、周波数「ｆｃ」を変更する前後において、上側ヘテロダインと下側ヘテロダインとの一方が連続して使用される場合、周波数「ｆｃ」を変更する前に第１局部発振器７０と第２局部発振器７２の一方が使用され、周波数「ｆｃ」を変更した後に他方が使用されてもよい。つまり、第１局部発振器７０と第２局部発振器７２は交互に使用されればよい。
【００４１】
本実施例によれば、第１局部発振器と第２局部発振器とを切替ながら使用するので、周波数の切替を高速化できる。
【００４２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００４３】
１０  アンテナ、  １２  第１アンプ、  １４  局部発振器、  １６  第１変換部、  １８  ＢＰＦ、  ２０  第２アンプ、  ２２  第２変換部、  ２４  第３アンプ、  ２６  ＩＦＦ、  ２８  リミッタ、  ３０  ＦＭ検波部、  ３２  出力部、  ３４  第１測定部、  ３６  整流回路、  ３８  雑音アンプ、  ４０  第２測定部、  ４２  制御部、  ５０  第１設定部、  ５２  第２設定部、  ５４  第３設定部、  ５６  第４設定部、  １００  受信装置。
【図１】
0006295926.tif 000002
【図２】
0006295926.tif 000003
【図３】
0006295926.tif 000004
【図４】
0006295926.tif 000005
【図５】
0006295926.tif 000006